(57)【要約】      （修正有）【課題】贈り物として贈られた際、贈り主の真意や繊細な気持ちを贈り先に伝えることができ、繊細なコミュニケーションの手段として使用することが可能となる装飾付き物差しを提供する。【解決手段】装飾付き物差し１００は、物の長さを差しはかる装飾付き物差しであって、平面方向に延びる態様に形成された平板状の物差し本体１０を備え、物差し本体１０は、第１の縁部１１に目盛りが設けられるとともに、第２の縁部１２に平面方向に延びる態様の装飾部２０が設けられ、装飾部２０は、輪郭が所定の物語の観念に基づいて造形されている。【選択図】図１
0003192431.tif 000002
【実用新案登録請求の範囲】
【請求項１】
物の長さを差しはかる装飾付き物差しであって、
平面方向に延びる態様に形成された平板状の物差し本体を備え、
該物差し本体は、縁部に平面方向に延びる態様の装飾部が設けられ、
該装飾部は、輪郭が所定の物語の観念に基づいて造形されていることを特徴とする装飾付き物差し。
【請求項２】
前記物差し本体および装飾部を囲繞する枠部をさらに備え、
該枠部は、内側縁部が物差し本体および装飾部の縁部に沿う態様に形成されるとともに、外側縁部に目盛りが設けられている請求項１に記載の装飾付き物差し。
【請求項３】
前記物差し本体および／または装飾部は透明素材からなり、
前記物差し本体および装飾部の下側に重ねて配置される台紙をさらに備え、
該台紙は、前記装飾部の物語の観念に対応するメッセージが記入されるメッセージ欄が設けられている請求項１または請求項２に記載の装飾付き物差し。
【考案の詳細な説明】
【技術分野】
【０００１】
本考案は、人に気持ちを伝えるための贈り物としての装飾付き物差しに関するものである。
【背景技術】
【０００２】
従来より、人に口頭で直接的に気持を伝えることに代えて、贈り物をすることにより間接的に気持ちを伝えることが行われている。
【０００３】
ところで装飾付き物差しは、物の長短を差し測る物差しに装飾を施したものである。このような装飾付き物差しは、実用的であるともに安価であり、手軽な贈り物として好適である。
【０００４】
このような、装飾付き物差しとして、長板状の物差しの表面にキャラクタの絵をあしらったものがある。しかしながら、このような物差しは、一般にありふれた形状のものとなっているため、贈り主や贈り先にとって印象に残るものではなかった。
【０００５】
そこで、特許文献１に示すような立体物差しが提案されている。特許文献１には、平板形状を有していて目盛りが付された物差し本体と、前記物差し本体に取り付けて起立状態に保持される起立部とを備えたことを特徴とする立体物差しが開示されている。
【先行技術文献】
【特許文献】
【０００６】
【特許文献１】実用新案登録第３１８９３８０号
【考案の概要】
【考案が解決しようとする課題】
【０００７】
しかしながら、特許文献１に示すような立体物差しは、物差し本体に取り付けて起立状態に保持される起立部とを備えるため、物差しの縁に沿って線が引かれる際、起立部が手の動きを阻害する虞があった。また、物差しの目盛りが読まれる際、起立部が視線を阻害する虞もあった。さらに、立体物差しの上に紙が乗せられた場合、起立部が紙を折り曲げる虞があった。さらにまた、立体物差しは、起立部を物差し本体に取り付ける組み立て式であるため、手間がかかる問題があった。
【０００８】
また、このような立体物差しは、贈り物として贈られた際、贈り主の真意や繊細な気持ちを贈り先に伝えることができるとは言い難かった。
【０００９】
本考案は、上述の技術的背景に鑑みてなされたものであり、贈り物として贈られた際、贈り主の真意や繊細な気持ちを贈り先に伝えることができ、繊細なコミュニケーションの手段として使用することが可能な装飾付き物差しを提供することを目的とする。
【課題を解決するための手段】
【００１０】
本考案は、上記目的を達成するために、 物の長さを差しはかる装飾付き物差しであって、平面方向に延びる態様に形成された平板状の物差し本体を備え、該物差し本体は、縁部に平面方向に延びる態様の装飾部が設けられ、該装飾部は、輪郭が所定の物語の観念に基づいて造形されていることを特徴とする。
【００１１】
これによれば、装飾部は、輪郭が所定の物語の観念に基づいて造形されていることにより、見る者に所定の物語を連想させることができる。このため、贈り物として贈られた際、贈り主の真意や繊細な気持ちを贈り先に伝えることができ、繊細なコミュニケーションの手段として使用することが可能となる。また、前記物差し本体は、第２の縁部に平面方向に延びる態様の装飾部が設けられているため、物差し本体の第１の縁部に沿って線が引かれる際、装飾部が手の動きを阻害する虞がなく、また、第１の縁部の目盛りが読まれる際、装飾部が視線を阻害する虞もない。また、物差しとして使用しないときは、起立させ、装飾品として使用することもできる。
【００１２】
また、前記物差し本体および装飾部を囲繞する枠部をさらに備え、該枠部は、内側縁部が物差し本体および装飾部の縁部に沿う態様に形成されるとともに、外側縁部に目盛りが設けられているのが好ましい。これによれば、装飾付き物差しが、物差し本体および装飾部を囲繞する枠部をさらに備え、前記枠部は、内側縁部が物差し本体および装飾部の縁部に沿う態様に形成されているため、運搬時や販売時に、物差し本体および装飾部が位置ずれする虞や、物差し本体および装飾部が破損する虞がない。さらに、枠部は、外側縁部に目盛りが設けられているため、物差し本体から独立したもう一つの物差しとして使用できる。このため、装飾付き物差しは、使い勝手の良さがさらに向上する。
【００１３】
また、前記物差し本体および／または装飾部は透明素材からなり、前記物差し本体および装飾部の下側に重ねて配置される台紙をさらに備え、該台紙は、前記装飾部の物語の観念に対応するメッセージが記入されるメッセージ欄が設けられているのが好ましい。これによれば、メッセージ欄に物語の観念に対応するメッセージが記入され、メッセージを記入した台紙が物差し本体および装飾部の下側に重ねて配置されることにより、メッセージが透明素材からなる物差し本体および／または装飾部を通して読み取られ、装飾部により連想される物語を具体化することができる。このため、贈り物として贈られた際、贈り主の真意や繊細な気持ちをより具体的に贈り先に伝えることができる。
【考案の効果】
【００１４】
本考案によれば、贈り物として贈られた際、贈り主の真意や繊細な気持ちを贈り先に伝えることができ、繊細なコミュニケーションの手段として使用することが可能となる。また、物差しとして使用する際には、手の動きを阻害する虞や視線を阻害する虞がない。さらに、物差しとして使用しないときは、装飾品として使用することもできる。
【００１５】
また、物差し本体および装飾部を囲繞する枠部をさらに備え、該枠部は、内側縁部が物差し本体および装飾部の縁部に沿う態様に形成されるとともに、外側縁部に目盛りが設けられている場合には、運搬時や販売時に、物差し本体および装飾部が位置ずれする虞や、物差し本体および装飾部が破損する虞がない。さらに、この装飾付き物差しは、枠部を物差し本体から独立したもう一つの物差しとして使用できるため、使い勝手の良さがさらに向上する。
【００１６】
また、前記物差し本体および／または装飾部は透明素材からなり、前記物差し本体および装飾部の下側に重ねて配置される台紙をさらに備え、該台紙は、前記装飾部の物語の観念に対応するメッセージが記入されるメッセージ欄が設けられている場合には、贈り物として贈られた際、贈り主の真意や繊細な気持ちをより具体的に贈り先に伝えることができる。
【図面の簡単な説明】
【００１７】
【図１】第１の実施形態に係る装飾付き物差しの斜視図である。
【図２】第２の実施形態に係る装飾付き物差しの分解斜視図である。
【図３】図２の装飾付き物差しの平面図である。
【図４】第３の実施形態に係る装飾付き物差しの分解斜視図である。
【図５】図４の装飾付き物差しが包装袋に包装された状態の平面図である。
【図６】他の実施形態に係る装飾付物差しの例を示す図である。
【考案を実施するための形態】
【００１８】
＜第１の実施形態＞                               
次に、本考案に係る装飾付き物差しの第１の実施形態について、図１を参照しつつ説明する。
【００１９】
本実施形態の装飾付き物差し１００は、物の長さを差しはかる装飾付き物差しであって、平面方向に延びる態様に形成された平板状の物差し本体１０を備える。具体的には、この物差し本体１０は、第１の縁部１１、第２の縁部１２、第３の縁部１３および縁部１４を四方にそれぞれ備えた矩形状の平板である。
【００２０】
前記第１の縁部１１は、図１に示すように、物差し本体１０の平面視における下側の縁部である。第１の縁部１１は、長手方向に直線状に形成されるとともに、長手方向に並ぶ目盛り１１１が印刷または成形により設けられている。本実施形態では、第１の縁部１１の長さは、１５０ｍｍに形成されている。このため、ユーザは、第１の縁部１１を計測対象に沿わせて直線を引いたり、あるいは目盛り１１１を読み取ることにより計測対象の長さを計測することができる。
【００２１】
前記第２の縁部１２は、図１に示すように、物差し本体１０の平面視における上側の縁である。第２の縁部１２は、平面方向に延びる態様の装飾部２０が設けられている。本実施形態では、第２の縁部１２の長さは１４４ｍｍに形成されている。
【００２２】
前記第３の縁部１３は、物差し本体１０の平面視における左側の縁部である。第３の縁部１３は、下端から上端へ向かい階段状に形成されている。具体的には、第３の縁部１３は、第１の縁部１１の左端から上方向に延びる下側部１３１と、下側部１３１の上端から右方向に延びる段部１３２と、段部１３２の右端から上方向に延びる上側部１３３とを備える。本実施形態では、下側部１３１、段部１３２および上側部１３３は、長さがそれぞれ３ｍｍ、３ｍｍおよび６ｍｍに形成されている。
【００２３】
前記第４の縁部１４は、物差し本体１０の平面視における右側の縁部である。第４の縁部１４は、第３の縁部１３を左右反転させた形状に形成されているため、その説明を省略する。
【００２４】
前記装飾部２０は、上述のように、物差し本体１０の第２の縁部１２に平面方向に延びる態様で設けられている。このため、第１の縁部１１に沿って線が引かれる際、装飾部２０が手の動きを阻害する虞がなく、また、目盛り１１１が読まれる際、装飾部２０が視線を阻害する虞もない。さらに、装飾付き物差し１００は、装飾部２０が設けられているため、物差しとして使用しないときは、起立させ装飾品として使用することもできる。
【００２５】
この装飾部２０は、輪郭が所定の物語の観念に基づいて造形されており、見る者に所定の物語を連想させる。本実施形態では、ハートマークを挟んで向かい合う男性と女性が形成されている。男性は、片膝を地面につき、手にした花束を女性へ差し出している。女性は、立ちあがりうつむいた姿勢で、手をわずかに男性へ差し出している。これにより、この装飾部２０は、男性から女性への求愛といった物語の観念に基づいて造形されている。このため、贈り先は贈り主の真意や繊細な気持ちを連想することができる。
【００２６】
＜第２の実施形態＞
次に、本考案に係る装飾付き物差しの第２の実施形態について、図２〜図３を参照しつつ説明する。なお、以下では上記の実施形態と異なる構成についてのみ説明することとし、同一の構成については説明を省略して同一の符号を付すこととする。
【００２７】
本実施形態の装飾付き物差し２００は、図２に示すように、物差し本体１０および装飾部２０と、物差し本体１０および装飾部２０を囲繞する枠部３０を備える。
【００２８】
前記枠部３０は、図３に示すように、内側縁部３１が装飾付き物差し１００の縁部に沿う態様で設けられている。このため、運搬時や販売時に、物差し本体１０および装飾部２０が位置ずれする虞や、物差し本体１０および装飾部２０が破損する虞がない。
【００２９】
また、前記枠部３０は、外側縁部３２に目盛り３２１が設けられている。このため、枠部３０は、物差し本体１０から独立したもう一つの物差しとして使用できる。これにより、装飾付き物差し２００は、使い勝手の良さがさらに向上する。    
【００３０】
＜第３の実施形態＞
次に、本考案に係る装飾付き物差しの第３の実施形態について、図４〜図５を参照しつつ説明する。
【００３１】
本実施形態の装飾付き物差し３００は、図４に示すように、物差し本体１０および装飾部２０と、物差し本体１０および装飾部２０を囲繞する枠部３０と、物差し本体１０および装飾部２０の下側に重ねて配置される台紙４０と、これらを包装する包装袋５０を備える。
【００３２】
前記物差し本体１０、装飾部２０および枠部３０は、透明なアクリル樹脂で成形されている。このため、ユーザは、物差し本体１０および装飾部２０の下側に重ねて配置される台紙４０に記載されたメッセージを、透明な物差し本体１０、装飾部２０および枠部３０を通して読み取ることができる。
【００３３】
前記台紙４０は、図５に示すように、表面にメッセージ欄４１が設けられている。メッセージ欄４１は、台紙４０に重ねて配置される装飾付き物差し１００の装飾部２０のキャラクタに対応する位置に、該キャラクタからの吹き出しの形状に設けられている。本実施形態の場合、メッセージ欄４１は、装飾部２０の男性に対応する位置に、該男性からの吹き出しの形状に設けられている。このため、メッセージ欄４１は、あたかも該キャラクタが話しているような印象を与えることができる。
【００３４】
このメッセージ欄４１には、装飾部２０の造形から連想される物語の観念に対応するメッセージが記入される。記入されるメッセージは、装飾部２０が図５のものであれば、「付き合ってください。」「結婚してください。」などが考えられる。この場合、贈り先は、意中の女性となる。また、別のメッセージとして、「一緒に残業してください！！」なども考えられる。この場合、贈り先は、同僚の女性となる。
【００３５】
なお、メッセージ欄４１は、装飾部２０の女性に対応する位置に、該女性からの吹き出しの形状に設けられてもよい。
【００３６】
次に、この装飾付き物差し３００の使い方について説明する。  
【００３７】
まず、贈り主は、輪郭が贈り先へ伝えたい気持ちに関連する物語の観念に基づいて造形されている装飾部２０が設けられた装飾付き物差し３００を選択し購入する。
【００３８】
そして、包装袋５０を丁寧に開封し、包装袋５０から台紙４０を取り出す。
【００３９】
そして、台紙４０のメッセージ欄４１に、装飾部２０の物語の観念に対応するメッセージを記入する。
【００４０】
次に、メッセージ欄４１にメッセージを記入した台紙４０を、物差し本体１０および装飾部２０の下側に重ねて配置し、包装袋５０内へ戻す。そして、包装袋５０を丁寧に封緘する。
【００４１】
最後に、包装袋５０を封緘した装飾付き物差し３００を贈り先へ贈る。
【００４２】
このように、メッセージ欄４１に装飾部２０の物語に対応するメッセージが記入され、台紙４０が物差し本体１０および装飾部２０の下側に重ねて配置されることにより、装飾部２０の造形から連想される物語を具体化することができる。このため、装飾付き物差し３００は、贈り物として贈られた際、贈り主の真意や繊細な気持ちをより具体的に贈り先に伝えることができ、より繊細なコミュニケーションの手段として用いることが可能となる。
【００４３】
なお、装飾部２０や物語に対応するメッセージには、図６に示すように、種々のバリエーションが考えられる。
【００４４】
例えば、１つ目の例では、装飾部２０として、若葉のマークを挟んで向かい合う二人の男性が形成されている。一方の男性は、両膝と両手を地面につき、他方の男性へ頭を下げている。他方の男性は、王冠のようなものを被り、立ちあがった姿勢で、手にした旗を一方の男性へ突き出している。メッセージは、一方の男性からの吹き出しとして、「寝坊してゴメンナサイッ」と記入されている。
【００４５】
２つ目の例では、装飾部２０として、向かい合う侍と忍者が形成されている。一方の侍は、両手に刀を持った前のめりの姿勢で、忍者に切りかかっている。忍者は、侍の攻撃に対し片手に刀を構えて応戦している。メッセージは、侍からの吹き出しとして、「拙者のおやつ先に食べたな〜」と記入されている。
【００４６】
３つ目の例では、装飾部２０として、一列に並んだ６人の男性が形成されている。６人の男性は、曲げた一方の膝で体を支え上半身を起立させた姿勢で、コサックダンスを踊っている。メッセージは、列の最後尾の男性からの吹き出しとして、「足がイタイッ腰がイタイッ」と記入されている。
【００４７】
４つ目の例では、装飾部２０として、一列に並んだ６匹のアヒルが形成されている。左端のアヒルは、親鳥で、他の５匹のアヒルの方向に振り返っている。他の５匹のアヒルは、雛鳥で、親鳥の方に向き、親鳥の後を追っている。メッセージは、親鳥からの吹き出しとして、「市民プール泳ぎに行くよ〜♪」と記入されている。
【００４８】
５つ目の例では、装飾部２０として、一列に並んだ５匹のペンギンが形成されている。右端のペンギンは、水中に飛び込むような姿勢で右側を向いている。右から２匹目のペンギンは、右端のペンギンを追うような姿勢をしている。右から３匹目のペンギンは、右側を向いた姿勢で上を見上げている。右から４匹目のペンギンは、右側を向いた姿勢で後を振り返っている。左端のペンギンは、他の４匹のペンギンより太っており、他の４匹から離れた位置で、他の４匹に向かい軽く片手を振っている。メッセージは、右端のペンギンからの吹き出しとして、「いやっっほ〜〜〜！！」と記入されている。
【００４９】
なお、上記実施形態では、前記物差し本体１０は、長手方向の下側の縁部を第１の縁部、上側の縁部を第２の縁部としたが、これに限られず、その他の縁部を第１の縁部および第２の縁部としてもよい。要は、前記物差し本体１０は、複数の縁部を備えており、いずれかの縁部を第１の縁部とし、第１の縁部以外の縁部を第２の縁部とすればよい。
【００５０】
また、前記枠部３０は、装飾付き物差し１００の四方の側を囲繞したが、これに限られず、例えば三方のみの側を囲繞するものであってもよい。ただし、装飾部２０が形成された側は囲繞されていることが好ましい。
【００５１】
また、台紙４０は、メッセージ欄４１が１つ設けられていたが、メッセージ欄４１が２つ以上設けられていてもよい。
【００５２】
また、メッセージ欄４１には、メッセージを記入するとしたが、さらにイラストなどを記入してもよい。
【００５３】
また、装飾付き物差し１００は、目盛り１１１を備えるとしたが、目盛り１１１を備えないいわゆる定規であってもよい。
【００５４】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【符号の説明】
【００５５】
１００、２００、３００…装飾付き物差し
１０…物差し本体
１１…第１の縁部
１１１…目盛り
１２…第２の縁部
２０…装飾部
３０…枠部
３１…内側縁部
３２…外側縁部
３２１…目盛り
４０…台紙
５０…包装袋
【図１】
0003192431.tif 000003
【図２】
0003192431.tif 000004
【図３】
0003192431.tif 000005
【図４】
0003192431.tif 000006
【図５】
0003192431.tif 000007
【図６】
0003192431.tif 000008